(57)【要約】【課題】グリル皿の出し入れを高級感を抱かせて円滑におこなえるようにしながら、ガイド部分への熱の影響を抑制し、長期安定使用を可能にして商品価値を高める。更に、グリル皿をガイドしながら庫外に大きく引き出すことができて操作性を高める。【解決手段】グリルケース側のガイド部２に対してグリル皿側の被ガイド部４がガイドされてグリル皿３が引き出し自在に構成されたグリルである。前記ガイド部２はベアリングのようなころがり軸受５によるころがり支持機能を備えたころがり摺動ガイド部２Ａとして前記グリルケース１の外部であるグリル庫外に設ける。前記グリル皿３が取り付けられる被ガイド部４が前記ガイド部２に対して前記ころがり摺動ガイド部２Ａを介して引き出し収納自在に構成されている。【選択図】        図１
2004263899.tif 000002
【特許請求の範囲】
【請求項１】
グリルケース側のガイド部に対してグリル皿側の被ガイド部がガイドされてグリル皿が引き出し自在に構成されたグリルであって、前記ガイド部はベアリングのようなころがり軸受によるころがり支持機能を備えたころがり摺動ガイド部として前記グリルケースの外部であるグリル庫外に設け、前記グリル皿が取り付けられる被ガイド部が前記ガイド部に対して前記ころがり摺動ガイド部を介して引き出し収納自在に構成されていることを特徴とするグリル。
【請求項２】
前記被ガイド部の前端部には前記グリル皿に取り付けられているグリル扉を着脱自在に連結していることを特徴とする請求項１記載のグリル。
【請求項３】
前記ころがり摺動ガイド部の外方を覆うと共にグリル皿の引き出し方向に長いガイド部覆い壁の内側にガイド空間をグリルケースの外側部に形成し、前記ガイド空間をグリルケース内の調理空間に連通口にて連通し、前記連通口に被ガイド部を移動可能に挿通し、前記被ガイド部はグリル皿の略全長にわたって形成していることを特徴とする請求項１記載のグリル。
【請求項４】
前記連通口の上縁部から被ガイド部の移動経路よりも庫内側に向けて前記連通口を覆う遮熱板を垂下していることを特徴とする請求項３記載のグリル。
【請求項５】
前記ころがり摺動ガイド部の外方を覆うと共にグリル皿の引き出し方向に長いガイド部覆い壁の内側にガイド空間をグリルケースの外側部に形成し、前記ガイド空間とグリルケース内の調理空間を遮蔽壁にて遮断していることを特徴とする請求項１記載のグリル。
【請求項６】
前記ころがり摺動ガイド部は、小の入れ子を大の入れ子に順に挿入して複数段に伸縮する伸縮手段を備えていることを特徴とする請求項１記載のグリル。
【請求項７】
前記グリルケースに内蔵されたバーナーより下方に前記ころがり摺動ガイド部を位置させていることを特徴とする請求項１乃至６記載のいずれかに記載のグリル。
【発明の詳細な説明】
【０００１】
【発明の属する技術分野】
本発明は、グリル皿を引き出し自在に備えているグリルに関し、詳しくは、グリル皿の出し入れを高級感を抱かせて円滑におこなえるようにしながら、ガイド部分への熱の影響を抑制し、長期安定使用を可能にして商品価値を高めようとする技術に係るものである。
【０００２】
【従来の技術】
従来、例えば、調理用コンロなどに組み込まれていてグリル皿を引き出し自在に備えているグリルにおいては、グリル皿に取り付けているグリル扉を引くことでグリル皿を庫外に引き出し、又、押し込むことで収納するものである。
このようなグリル皿の引き出し及び収納は、グリルケース側のガイド部とグリル皿、又は、グリル皿の底部となっている受け皿（水受け皿）との間の滑り摩擦によるものであったから、はめ合い公差、製作寸法精度及び熱変形等により、操作中にがたつきが生じやすく、操作感が悪く、ユーザーに高級感を抱かせることができないものとなっていた。
近年、グリルを組み込んでいる調理用コンロは、天板にガラス素材を使用するなど高級化している状況のなかで、グリル皿の引き出し及び収納の操作感が悪いということは、ユーザーは元よりメーカー側にも技術的課題となるものであった。
【０００３】
そこで、図１０に示すように、グリル皿３’の操作感を向上させるために、ベアリングやローラー２Ａ’を備えてガイド部２’を構成することがおこなわれている。（例えば、特許文献１参照）
ところで、特許文献１においては、ベアリングやローラー２Ａ’を高温となる庫内に設置することから、ベアリングやローラー２Ａ’のころがり支持機能が早期に激しく劣化して長期にわたって安定的に使用することができないという問題がある。
【０００４】
更に、特許文献１においては、庫外にはガイド部２’が存在しないことから、大きな魚などを扱う際にはグリル皿３’をガイド部２’より外して持ち出さなければならず、又、入れ直さなければならず、操作性が低いという問題がある。
【０００５】
【特許文献１】
実公平７−２９９４８号公報
【０００６】
【発明が解決しようとする課題】
本発明はこのような問題に鑑みてなされたものであり、グリル皿の出し入れを高級感を抱かせて円滑におこなえるようにしながら、ガイド部分への熱の影響を抑制し、長期安定使用を可能にして商品価値を高めることができ、更に、グリル皿をガイドしながら庫外に大きく引き出すことができて操作性を高めることができるグリルを提供することを目的とするものである。
【０００７】
【課題を解決するための手段】
請求項１の発明においては、グリルケース側のガイド部に対してグリル皿側の被ガイド部がガイドされてグリル皿が引き出し自在に構成されたグリルであって、前記ガイド部はベアリングのようなころがり軸受によるころがり支持機能を備えたころがり摺動ガイド部として前記グリルケースの外部であるグリル庫外に設け、前記グリル皿が取り付けられる被ガイド部が前記ガイド部に対して前記ころがり摺動ガイド部を介して引き出し収納自在に構成されていることを特徴とするものである。
このような構成によれば、ベアリングのようなころがり支持機能を備えたころがり摺動ガイド部によって被ガイド部がガイドされることで、グリル皿の引き出し及び収納をきわめて円滑におこなえてユーザーに高級感を抱かせながら、ころがり摺動ガイド部はグリル庫外に存在していて、ころがり摺動ガイド部への熱影響を大幅に抑制し、長期安定使用を可能にして商品価値を高める。
【０００８】
請求項２の発明においては、前記被ガイド部の前端部には前記グリル皿に取り付けられているグリル扉を着脱自在に連結しているから、被ガイド部よりグリル扉を外すことで、グリル扉と共にグリル皿を分離でき、使い易い。
【０００９】
請求項３の発明においては、前記ころがり摺動ガイド部の外方を覆うと共にグリル皿の引き出し方向に長いガイド部覆い壁の内側にガイド空間をグリルケースの外側部に形成し、前記ガイド空間をグリルケース内の調理空間に連通口にて連通し、前記連通口に被ガイド部を移動可能に挿通し、前記被ガイド部はグリル皿の略全長にわたって形成していることを特徴とするものである。
このような構成によれば、グリル皿を収納した場合に連通口の一部を残して殆どがグリル皿の略全長にわたっている被ガイド部によって覆い、グリル皿の被ガイド部を有効に利用することで庫外のころがり摺動ガイド部への熱影響を防止する。それでいて、グリル皿を引き出した場合に連通口が現れてころがり摺動ガイド部側の清掃が容易におこなえ、お手入れ性を損なうことがなく、この点においても高級感を求めるニーズに応える。
【００１０】
請求項４の発明においては、前記連通口の上縁部から被ガイド部の移動経路よりも庫内側に向けて前記連通口を覆う遮熱板を垂下していることを特徴とするものである。
このような構成によれば、遮熱板によってころがり摺動ガイド部への熱影響及び油等の飛散を、一層、低減する。
【００１１】
請求項５の発明においては、前記ころがり摺動ガイド部の外方を覆うと共にグリル皿の引き出し方向に長いガイド部覆い壁の内側にガイド空間をグリルケースの外側部に形成し、前記ガイド空間とグリルケース内の調理空間を遮蔽壁にて遮断していることを特徴とするものである。
このような構成によれば、遮蔽壁によってころがり摺動ガイド部への熱及び油の影響を充分に遮断する。
【００１２】
請求項６の発明においては、前記ころがり摺動ガイド部は、小の入れ子を大の入れ子に順に挿入して複数段に伸縮する伸縮手段を備えていることを特徴とするものである。
このような構成によれば、入れ子形態に構成している伸縮手段によってグリル皿をガイド機能を維持したまま庫外に充分に引き出し、大きな魚の扱いは勿論、お手入れ性を高めながらグリル皿の収納を容易におこなえ、この点においても高級感を求めるニーズに応える。
【００１３】
請求項７の発明においては、前記グリルケースに内蔵されたバーナーより下方に前記ころがり摺動ガイド部を位置させていることを特徴とするものである。
このような構成によれば、バーナーによるころがり摺動ガイド部への熱影響を低減する。
【００１４】
【発明の実施の形態】
以下、本発明の実施の形態を説明する。図１（ａ）は概略斜視図、同図（ｂ）は概略正断面図である。図２（ａ）は調理用コンロの斜視図、同図（ｂ）はグリル皿の分解斜視図である。
【００１５】
本発明のグリルＡは図２（ａ）に示すように調理用コンロ１６の下部中央に組み込まれている。調理用コンロ１６は大小３個の調理バーナー１８を備え、ガラス製の天板１７が敷設されて高級感を抱かせるようにしている。グリルＡは前面が開口し後部が排気口３７に連通された略角筒状のグリルケース１に扉付きのグリル皿３を引き出し及び収納自在に設けている。グリルケース１内には上バーナー２３、左右の側部バーナー２４を設けている。
図２（ｂ）に示すように、水受け皿となる受け皿１９に内部を見通すことができる透過型のグリル扉２０を着脱自在に取り付け、受け皿１９にグリル焼き網２１を取り外し自在に載置してグリル皿３を構成している。グリル扉２０の取っ手２２を持ってグリル皿３の引き出し及び収納操作をおこなうようにしている。グリル皿３の引き出し及び収納に際して、高級感を抱かせて円滑におこなえるようにしながら、庫内からガイド部分への熱の影響を抑制し、長期安定使用を可能にして商品価値を高めるようにしている。以下、詳述する。
図１、図３、図４及び図５は第１の実施例を示している。
【００１６】
図１に示すように、グリルケース１の両側壁の外部に断面略コ字状となったガイド部覆い壁６を設けてグリル皿３の引き出し方向にガイド空間７を形成している。この場合、グリルケース１の側壁が遮蔽壁１１となってガイド空間７とグリルケース１内の調理空間８を遮断している。
【００１７】
ガイド空間７内には、小の入れ子１２を大の入れ子１３に順に挿入して複数段に伸縮する伸縮手段１４を構成している。最も大きい入れ子２５が上記ガイド部覆い壁６となっている。各入れ子１２、１３、２５間にはベアリングのようなころがり軸受５によるころがり支持機能を備えたころがり摺動ガイド部２Ａを構成している。
【００１８】
図５（ｂ）に示すように、前記ころがり摺動ガイド部２Ａは、例えば、２個のボール２６を任意の方向に回転自在にベース２７に保持したころがり軸受５を使用するものであり、外となる前記入れ子１３、２５の前後部の内面ころがり軸受５、５を取り付け、内となる入れ子１２、１３をころがり摺動ガイドするものである。なお、同図（ｃ）に示すように、ボール２６に代えてローラーを採用するものでもよく、ころがり軸受５の形態は変更することができる。
【００１９】
図３に示すように、グリル扉２０の背方には差し込み体２８、２８を突出させて最も小さい入れ子１２、１２の先端内部に差し込み、グリル扉２０をころがり摺動ガイド部２Ａを備えた伸縮手段１４に着脱自在に連結している。差し込み体２８と入れ子１２との間には、例えば、ボールがスプリングに抗して出退するボールストッパ２９のような着脱手段を介装しておくとよい。
【００２０】
上記伸縮手段１４においては、小の入れ子１２が大の入れ子１３から最大に引き出された状態で、例えば、両入れ子１２、１３に形成された当たり及び被当たり（図示せず）が当接し、その後、大の入れ子１３が最も大きい入れ子２５より引き出されるように構成してあり、大の入れ子１３が最大に引き出された状態で、両入れ子１３、２５に形成された前記と同様の当たり及び被当たりが当接することで、最大伸張状態を維持できるようにしている。
【００２１】
このような第１の実施例においては、グリル扉２０の取っ手２２を持って引き出すことで、グリル扉２０に連結されている小の入れ子１２、大の入れ子１３を順に引き出し、グリル扉２０に連結されているグリル皿３をガイド機能を維持したまま庫外に充分に引き出すことができ、又、グリル扉２０を押し込むことで、グリル皿３をグリルケース１内に収納すると共にグリル扉２０にてグリルケース１の開口を閉塞するのである。
【００２２】
この場合、ベアリングのようなころがり支持機能を備えたころがり摺動ガイド部２Ａによってころがり摺動ガイドされることから、グリル皿３の引き出し及び収納をきわめて円滑におこなえてユーザーに高級感を抱かせることができるのである。しかも、ころがり摺動ガイド部２Ａ及び被ガイド部４はグリル庫外に存在していて、ころがり摺動ガイド部２Ａへの熱影響を大幅に抑制でき、長期安定使用を可能にして商品価値を高めることができるのである。
【００２３】
更に、ころがり摺動ガイド部２Ａの外方を覆うガイド空間７とグリルケース１内の調理空間８をグリルケース１の側壁を遮蔽壁１１として遮断していて、ころがり摺動ガイド部２Ａへの熱及び油の影響を充分に遮断できるものである。
【００２４】
図６は前記伸縮手段１４の他例を示し、同図（ａ）は最も大きい入れ子２５を断面ロ字状に形成したものであり、同図（ｂ）は各入れ子２５、１３、１２を断面コ字状に形成したものである。
【００２５】
図７及び図８は前記伸縮手段１４の更に他例を示している。
【００２６】
本例において伸縮手段１４は、グリルケース１側に固定されるガイドレール３１と、グリル皿３側に連結される被ガイドレール３２と、ガイドレール３１と被ガイドレール３２との間で、各々のレール３１、３２に挿通される中間レール３３とから構成している。中間レール３３の内外にはボール３４をリテーナー３５にて回転自在に保持したボールベアリングとしてのころがり軸受５をころがり摺動ガイド部２Ａとして保持している。
【００２７】
しかして、中間レール３３をガイドレール３１と被ガイドレール３２の各々に挿通し、中間レール３３の内外のころがり軸受５をころがり摺動ガイド部２Ａとして、中間レール３３がガイドレール３１及び被ガイドレール３２に対してころがり摺動移動するように構成している。
【００２８】
この場合、ガイドレール３１及び被ガイドレール３２の長さはグリルケース１の奥行き長さに略等しく、これら両レール３１、３２間に略同長さの中間レール３３を備えていて、グリル皿３の後縁部がグリルケース１の開口前縁部よりも前方にグリル皿３を引き出すことができるようにしている。
【００２９】
図９は第２の実施例を示している。但し、本実施例の基本構成は上記実施例と共通であり、共通する部分には同一の符号を付して説明は省略する。
【００３０】
本実施例においては、グリルケース１の側壁の外部にガイド部覆い壁６を設けて内側にガイド空間７を構成し、ガイド空間７内でガイド部覆い壁６にころがり軸受５としの複数のベアリング３０を固定している。グリルケース１の側壁の一部を切除して連通口９を形成してガイド空間７とグリルケース１内の調理空間８を連通している。
【００３１】
グリル皿３の受け皿１９より断面略Ｌ字状となった被ガイド部４をグリル皿３の略全長にわたって延出している。被ガイド部４を連通口９に移動可能に挿通してころがり摺動ガイド部２Ａのころがり軸受５にころがり摺動可能に載置している。
本実施例によれば、取っ手２２を押してグリル皿３をグリルケース１内に収納した場合に、連通口９の一部を残して殆どがグリル皿３の略全長にわたっている被ガイド部４によって覆うことができるのであり、グリル皿３の被ガイド部４を有効に利用することで庫外のころがり摺動ガイド部２Ａへの熱影響を防止することができるのである。
それでいて、グリル皿３を引き出した場合にベアリング３０より断面略Ｌ字状となった被ガイド部４を容易に外すことができるのであり、この場合、連通口９が大きく現れてころがり摺動ガイド部２Ａ側の清掃が容易におこなえるのであり、お手入れ性を損なうことがなく、この点においても高級感を求めるニーズに応えることができるのである。
【００３２】
更に、本実施例においては、連通口９の上縁部から被ガイド部４の移動経路よりも庫内側に向けて前記連通口９を覆う断面略Ｌ字状の遮熱板１０を垂下している。
このような構成によれば、遮熱板１０によってころがり摺動ガイド部２Ａへの熱影響及び油等の飛散を、一層、低減することができるのである。
ところで、図１及び図９の実施例においては、グリルケース１に内蔵されたバーナー１５のうち側部バーナー２４より下方に前記ころがり摺動ガイド部２Ａを位置させていて、側部バーナー２４によるころがり摺動ガイド部２Ａへの熱影響を低減しているものである。
【００３３】
【発明の効果】
請求項１の発明においては、グリルケース側のガイド部に対してグリル皿側の被ガイド部がガイドされてグリル皿が引き出し自在に構成されたグリルであって、前記ガイド部はベアリングのようなころがり軸受によるころがり支持機能を備えたころがり摺動ガイド部として前記グリルケースの外部であるグリル庫外に設け、前記グリル皿が取り付けられる被ガイド部が前記ガイド部に対して前記ころがり摺動ガイド部を介して引き出し収納自在に構成されているから、ベアリングのようなころがり支持機能を備えたころがり摺動ガイド部によって被ガイド部がガイドされることで、グリル皿の引き出し及び収納をきわめて円滑におこなえてユーザーに高級感を抱かせることができながら、ころがり摺動ガイド部はグリル庫外に存在していて、ころがり摺動ガイド部への熱影響を大幅に抑制でき、長期安定使用を可能にして商品価値を高めることができるという利点がある。
【００３４】
請求項２の発明においては、請求項１の効果に加えて、前記被ガイド部の前端部には前記グリル皿に取り付けられているグリル扉を着脱自在に連結しているから、被ガイド部よりグリル扉を外すことで、グリル扉と共にグリル皿を分離でき、使い易いという利点がある。
【００３５】
請求項３の発明においては、請求項１の効果に加えて、前記ころがり摺動ガイド部の外方を覆うと共にグリル皿の引き出し方向に長いガイド部覆い壁の内側にガイド空間をグリルケースの外側部に形成し、前記ガイド空間をグリルケース内の調理空間に連通口にて連通し、前記連通口に被ガイド部を移動可能に挿通し、前記被ガイド部はグリル皿の略全長にわたって形成しているから、グリル皿を収納した場合に連通口の一部を残して殆どがグリル皿の略全長にわたっている被ガイド部によって覆うことができ、グリル皿の被ガイド部を有効に利用することで庫外のころがり摺動ガイド部への熱影響を防止することができ、それでいて、グリル皿を引き出した場合に連通口が現れてころがり摺動ガイド部側の清掃が容易におこなえ、お手入れ性を損なうことがなく、この点においても高級感を求めるニーズに応えることができるという利点がある。
【００３６】
請求項４の発明においては、請求項３の効果に加えて、前記連通口の上縁部から被ガイド部の移動経路よりも庫内側に向けて前記連通口を覆う遮熱板を垂下しているから、遮熱板によってころがり摺動ガイド部への熱影響及び油等の飛散を、一層、低減することができるという利点がある。
【００３７】
請求項５の発明においては、請求項１の効果に加えて、前記ころがり摺動ガイド部の外方を覆うと共にグリル皿の引き出し方向に長いガイド部覆い壁の内側にガイド空間をグリルケースの外側部に形成し、前記ガイド空間とグリルケース内の調理空間を遮蔽壁にて遮断しているから、遮蔽壁によってころがり摺動ガイド部への熱及び油の影響を充分に遮断できるという利点がある。
【００３８】
請求項６の発明においては、請求項１の効果に加えて、前記ころがり摺動ガイド部は、小の入れ子を大の入れ子に順に挿入して複数段に伸縮する伸縮手段を備えているから、入れ子形態に構成している伸縮手段によってグリル皿をガイド機能を維持したまま庫外に充分に引き出すことができ、大きな魚の扱いは勿論、お手入れ性を高めながらグリル皿の収納を容易におこなえ、この点においても高級感を求めるニーズに応えることができるという利点がある。
【００３９】
請求項７の発明においては、請求項１乃至６のいずれかの効果に加えて、前記グリルケースに内蔵されたバーナーより下方に前記ころがり摺動ガイド部を位置させているから、バーナーによるころがり摺動ガイド部への熱影響を低減することができるという利点がある。
【図面の簡単な説明】
【図１】本発明のグリルの実施の一形態を示し、（ａ）は概略斜視図、（ｂ）は概略正断面図である。
【図２】（ａ）は同上のグリルを調理用コンロに組み込んだ斜視図、（ｂ）はグリル皿の分解斜視図である。
【図３】同上の概略側断面図である。
【図４】同上の概略平断面図である。
【図５】（ａ）は同上の入れ子形態の伸縮手段を示す概略側断面図、（ｂ）は説明図、（ｃ）は他例の説明図である。
【図６】（ａ）は同上の他例の概略断面図、（ｂ）は更に他例の概略断面図である。
【図７】同上の伸縮手段の他例の形態を示し、（ａ）は収縮状態を示す平面図、（ｂ）は伸張状態を示す平面図である。
【図８】（ａ）は伸張状態の側面図、（ｂ）は断面図である。
【図９】同上の他の実施例を示し、（ａ）は概略正断面図、（ｂ）はグリル皿を引き出した説明図である。
【図１０】従来例を示し、（ａ）（ｂ）は概略側断面図である。
【符号の説明】
１    グリルケース
２    ガイド部
２Ａ  ころがり摺動ガイド部
３    グリル皿
４    被ガイド部
５    ころがり軸受
６    ガイド部覆い壁
７    ガイド空間
８    調理空間
９    連通口
１０  遮熱板
１１  遮蔽壁
１２  小の入れ子
１３  大の入れ子
１４  伸縮手段
１５  バーナー
【図１】
2004263899.tif 000003
【図２】
2004263899.tif 000004
【図３】
2004263899.tif 000005
【図４】
2004263899.tif 000006
【図５】
2004263899.tif 000007
【図６】
2004263899.tif 000008
【図７】
2004263899.tif 000009
【図８】
2004263899.tif 000010
【図９】
2004263899.tif 000011
【図１０】
2004263899.tif 000012